(57)【特許請求の範囲】
【請求項１】
部分円弧状に前方へ膨出して湾曲する形状を有してなる扉を、所定の収納空間を外部に開放し且つ開口縁部の一部を前記扉の湾曲と略同一位置に中心を設けて前記扉に沿って部分円弧状に湾曲させた開口部に対して上下方向へ開閉可能に支持するものであって、前記開口部を閉塞する閉止位置と開放する開成位置との間で前記扉を回転動作により移動可能に支持する支持部材を具備してなり、前記扉の上端部の対応位置にある開口縁部の上端とこれら扉及び開口縁部の反開口部側に規定された湾曲の中心とを結ぶ基準線を設定し、この基準線上若しくは基準線よりも上方位置に前記支持部材の回転支点を設定し、更に、当該支持部材の先端部を前記扉の下端部に固定して取り付けた上で、当該扉を開成位置にした際に、当該扉の下端部と当該支持部材の先端部との取付位置が前記開口縁部の前方側となるように設定していることを特徴とする扉支持装置。
【請求項２】
前記支持部材を扉の開成方向へ付勢する付勢手段を具備し、前記閉止位置と開成位置との間において、扉を開成位置へ移動させる前記付勢手段による付勢力と、自重により扉自体が閉止位置へ向かう力とが拮抗する思案位置が存在するようにしていることを特徴とする請求項１記載の扉支持装置。
【請求項３】
前記付勢手段が、基端部を前記支持部材の回転支点とは異なる位置に回転可能に設け且つ先端部を支持部材の一部に回転可能に取着した弾性付勢部材からなることを特徴とする請求項２記載の扉支持装置。
【請求項４】
前記弾性付勢部材が、伸縮可能なガススプリングであることを特徴とする請求項３記載の扉支持装置。
【請求項５】
前記支持部材が、その回転支点及び先端部を結ぶ直線と該回転支点及び弾性付勢部材の基端部を結ぶ直線とがなす角の間において直線状に延び回転支点側に設けられる第１の支持要素と、該第１の支持要素の先端部から所定角度をなして延び先端部を扉の下端部に取着した第２の支持要素とを具備していることを特徴とする請求項３又は４記載の扉支持装置。
【請求項６】
前記第１の支持要素の延出方向における中間位置に弾性付勢部材の先端部を取着していることを特徴とする請求項５記載の扉支持装置。
【請求項７】
前記支持部材を、１本の支持アームにより構成していることを特徴とする請求項１、２、３、４、５又は６記載の扉支持装置。
【請求項８】
内部に収納空間と該収納空間を少なくとも一方に開放する開口部する収納家具本体と、前記開口部の開口縁部に沿って収納空間を上下方向へ開閉可能に設けられた扉部と、前記開口部を閉塞する閉止位置と開放する開成位置との間で回転動作により移動可能に支持する支持部材を有する扉支持装置とを具備してなり、前記扉部の少なくとも一部を反開口部側に設定された中心から所定の半径で開閉方向へ部分円弧状に前方へ膨出して湾曲する形状に形成するとともに、前記開口縁部の一部を扉部の湾曲の中心と略同位置に設けた中心から所定の半径で扉部に沿って湾曲させて形成し、前記扉部の上端部の対応位置にある開口縁部の上端とこれら扉部及び開口縁部の湾曲の中心とを結ぶ基準線を設定し、この基準線上若しくは基準線よりも上方位置に前記支持部材の回転支点を設定し、更に、当該支持部材の先端部を前記扉の下端部に固定して取り付けた上で、当該扉を開成位置にした際に、当該扉の下端部と当該支持部材の先端部との取付位置が前記開口縁部の前方側となるように設定していることを特徴とする収納家具。
【請求項９】
前記扉支持装置に支持部材を扉部の開成方向へ付勢する付勢手段を設け、前記閉止位置と開成位置との間において、扉部を開成位置へ移動させる前記付勢手段による付勢力と自重により扉部自体が閉止位置へ向かう力とが拮抗する思案位置が存在するようにしていることを特徴とする請求項８記載の収納家具。
【請求項１０】
扉部の幅寸法に対応して、扉部の重量を調節する重量調節手段を該扉部に設けていることを特徴とする請求項９記載の収納家具。
【請求項１１】
収納家具本体が、収納空間の内壁を構成する内側壁と収納家具本体の外壁を構成する外側壁とを具備するとともに、これら内側壁と外側壁との間に扉支持部材の収容部を形成し、左右の収容部に同期動作する一対の前記扉支持装置をそれぞれ収容していることを特徴とする請求項８、９又は１０記載の収納家具。
【請求項１２】
扉部の上端を収納家具本体の天壁よりも上方に位置付けるとともに、該天壁の上面を物品載置面としていることを特徴とする請求項８、９、１０又は１１記載の収納家具。
【請求項１３】
内部の収納空間を外部に開放する開口部を有する収納家具本体と、前記開口部に対して設けられる扉部と、該扉部を上下方向へ開閉可能に支持する扉支持装置とを具備するものであって、前記扉支持装置が、前記収納空間を閉塞する閉止位置と開放する開成位置との間で前記扉を回転動作により移動可能に支持する支持部材を具備し、該支持部材の先端部と前記扉の下端部とを固定した状態で、該扉を該支持部材に支持させて閉止位置から開成位置までの間、扉の各部を開口部における開口縁部から漸次離反させ、且つ扉の各部が通過する領域が前記開口縁部と干渉しないように構成し、当該扉を開成位置にした際に、当該扉の下端部と当該支持部材の先端部との取付位置が前記開口縁部の前方側となるように設定していることを特徴とする収納家具。
【発明の詳細な説明】
【０００１】
【発明の属する技術分野】
本発明は、扉を開閉するための扉支持装置及びそれを適用した収納家具に関するものである。
【０００２】
【従来の技術】
従来、収納空間を開閉し得る扉を上下方向に移動させるように構成した扉支持装置を、ブラケット等を介して壁面に取り付ける壁掛け式やデスクの天板の上方領域に配置するデスクトップ式のキャビネット等の収納家具に適用したものが種々考えられている。
【０００３】
このような収納家具には、例えば収納家具本体の収納空間を開放する開口部の上端部にローラを設けておき、扉をリンク機構やスプリング等の作用により閉止位置から跳ね上げ可能に支持する扉支持装置を有し、その扉支持装置によって上方へ持ち上げられた扉をローラに添接させたうえで収納家具本体の天壁に沿って格納することで、収納空間を開放するように構成したものや、複数の偏心カムやスプリング等を組み合わせた構造によって閉止位置にある扉を上方へ跳ね上げるように構成した扉支持装置を適用したものなどが知られている。
【０００４】
【発明が解決しようとする課題】
ところが、このような構成による従来の扉支持装置であると、装置そのものを構成する部品点数が多くその構造も複雑であるため、装置の動作確認やメンテナンスが煩雑であるという不具合や、コスト高になって収納家具全体の価格も高価になりがちであるという問題が生じている。
【０００５】
特にデザイン上の観点等から扉を前方へ膨出させつつ湾曲させた収納家具においては、その湾曲した扉を開口縁部に干渉させることなく適切に跳ね上げ得るように構成するために、従来より上記のような技術を駆使した工夫が各種なされているため、扉支持装置の構造は極めて複雑化なものとなっており、上述した不具合や問題が顕著である。
【０００６】
そこで本発明は、以上のような問題に鑑みて、極めて簡素な構成でありながらスムーズな扉の開閉を実現することができ、しかも低コストでの製造が可能な扉支持装置及びそれを適用した収納家具を提供することを主たる目的としている。
【０００７】
【課題を解決するための手段】
すなわち、まず本発明の扉支持装置は、部分円弧状に膨出して湾曲する形状を有してなる扉を、所定の収納空間を外部に開放し且つ開口縁部の一部を前記扉の湾曲と略同一位置に中心を設けて前記扉に沿って部分円弧状に湾曲させた開口部に対して上下方向へ開閉可能に支持するものであって、前記開口部を閉塞する閉止位置と開放する開成位置との間で前記扉を回転動作により移動可能に支持する支持部材を具備してなり、前記扉の上端部の対応位置にある開口縁部の上端とこれら扉及び開口縁部の反開口部側に規定された湾曲の中心とを結ぶ基準線を設定し、この基準線上若しくは基準線よりも上方位置に前記支持部材の回転支点を設定し、更に、当該支持部材の先端部を前記扉の下端部に固定して取り付けた上で、当該扉を開成位置にした際に、当該扉の下端部と当該支持部材の先端部との取付位置が前記開口縁部の前方側となるように設定していることを特徴とするものである。
【０００８】
このような扉支持装置の構成によれば、上記の位置に支持部材の回転支点を設定していることにより、その回転支点から開口縁部までの距離は、その上端までの距離が最も短く下端までの距離が最も長く、且つ上端から下端までの各部までの距離は漸次長くなる。そして開口縁部に対応して湾曲している扉を支持部材に支持させて閉止位置から開成位置へ又は開成位置から閉止位置へ移動させる際には、扉の各部が支持部材の回転支点を中心とし、その中心から各部までの距離を半径とする円運動をすることになる。すなわち、扉の各部は同一位置を中心として下端側へ行くほど漸次長い半径を有する部分円弧状の軌跡を描くため、閉止位置と開成位置との間で扉のいずれの箇所も開口縁部と干渉することがない。その結果、この扉支持装置は、扉を簡素な構成でスムーズに開閉動作させることが可能である。
【０００９】
扉を開成方向へ軽く移動させることができ、しかも開成位置から扉が不意に閉止方向へ移動するのを好適に抑制するためには、支持部材に扉の開成方向へ付勢する付勢手段を設け、閉止位置と開成位置との間において、扉を開成位置へ移動させる付勢手段による付勢力と、自重により扉自体が閉止位置へ向かう力とが拮抗する思案位置が存在するようにしていることが好ましい。
【００１０】
このような作用を奏する付勢手段としては、基端部を前記支持部材の回転支点とは異なる位置に回転可能に設け且つ先端部を支持部材の一部に回転可能に取着した弾性付勢部材が挙げられ、扉の移動スピードを適切なものとすることができる具体的な弾性付勢部材には、伸縮可能なガススプリングが挙げられる。また、シリンダに対するロッドの往復の抵抗を調節し得る油量調節弁を設けたガススプリングを用い、扉を閉止位置までゆっくりとした速度で落下させるようにすることもできる。
【００１１】
また、支持部材により扉の下端部を支持するように構成すれば、扉の開成位置において開口部を広く開放することができると考えられるが、開口部を寄り広く開放しつつ、開成位置に置いて扉の下端部を開口縁部から前方へできるだけ突出させないようにするためには、支持部材を、その回転支点及び先端部を結ぶ直線と該回転支点及び弾性付勢部材の基端部を結ぶ直線とがなす角の間において直線状に延び回転支点側に設けられる第１の支持要素と、該第１の支持要素の先端部から所定角度をなして延び先端部を扉の下端部に取着した第２の支持要素とからなる屈曲したものとすることが望ましい。
【００１２】
この場合、扉支持装置の動作の安定性を高めるには、第１の支持要素の延出方向における中間位置に弾性付勢部材の先端部を取着するとよい。
【００１３】
さらに、支持部材を１本の支持アームにより構成することで、部品点数を可及的に削減し、コストダウンも有効に図ることができる。
【００１４】
以上のような扉支持装置を適用した本発明の収納家具は、内部に収納空間とその収納空間を少なくとも一方に開放する開口部する収納家具本体と、開口部の開口縁部に沿って収納空間を上下方向へ開閉可能に設けられた扉部と、開口部を閉塞する閉止位置と開放する開成位置との間で回転動作により移動可能に支持する支持部材を有する扉支持装置とを具備するものである。そして、扉部の少なくとも一部を反開口部側に設定された中心から所定の半径で開閉方向へ部分円弧状に前方へ膨出して湾曲する形状に形成するとともに、開口縁部の一部を扉部の湾曲の中心と略同位置に設けた中心から所定の半径で扉部に沿って湾曲させて形成し、前記扉部の上端部の対応位置にある開口縁部の上端とこれら扉部及び開口縁部の湾曲の中心とを結ぶ基準線を設定し、この基準線上若しくは基準線よりも上方位置に前記支持部材の回転支点を設定し、更に、当該支持部材の先端部を前記扉の下端部に固定して取り付けた上で、当該扉を開成位置にした際に、当該扉の下端部と当該支持部材の先端部との取付位置が前記開口縁部の前方側となるように設定することにより、上述した扉支持装置を適用することによる作用が効果的に奏され、収納家具全体のコストダウンを容易に図ることができる。
【００１５】
特に、上述のように扉部の閉止位置と開成位置との間に思案位置を設定した場合、異なる幅寸法の収納家具に対して共通の扉支持装置を使用することができるようにするためには、思案位置に置いて扉部の重量と付勢手段による付勢力との均衡を図る必要があるため、扉部の幅寸法に対応して、扉部の重量を調節する重量調節手段を該扉部に設けることが望ましい。
【００１６】
また、扉支持装置による扉部の支持が片持ちにならず、扉支持装置は使用状態で外部に露出させることなく、しかも扉部のスムーズな動作を損なわないようにするためには、収納家具本体を、収納空間の内壁を構成する内側壁と収納家具本体の外壁を構成する外側壁とを有するものとし、これら内側壁と外側壁との間に扉支持部材の収容部を形成して、左右の収容部に同期動作する一対の扉支持装置をそれぞれ収容するとよい。
【００１７】
また、収納家具本体の上にも物品を載置できるようにするとともに、扉部の閉止位置において収納家具本体に載置した物品の落下を特別な部材を設けずに簡便に防止するためには、扉部の上端を収納家具本体の天壁よりも上方に位置付けるとともに、該天壁の上面を物品載置面とすることが好ましい。
【００１８】
なお、扉及び開口縁部が湾曲しているか否かに拘わらず上記と同様にスムーズな開閉を簡素な構成で実現し得る本発明の収納家具としては、内部の収納空間を外部に開放する開口部を有する収納家具本体と、前記開口部に対して設けられる扉部と、該扉部を上下方向へ開閉可能に支持する扉支持装置とを具備するものであって、前記扉支持装置が、前記収納空間を閉塞する閉止位置と開放する開成位置との間で前記扉を回転動作により移動可能に支持する支持部材を具備し、該支持部材の先端部と前記扉の下端部とを固定した状態で、該扉を該支持部材に支持させて閉止位置から開成位置までの間、扉の各部を開口部における開口縁部から漸次離反させ、且つ扉の各部が通過する領域が前記開口縁部と干渉しないように構成し、当該扉を開成位置にした際に、当該扉の下端部と当該支持部材の先端部との取付位置が前記開口縁部の前方側となるように設定した収納家具を挙げることができる。このようにすることで、扉及び開口縁部が湾曲しているか、平面的であるか、屈曲しているか、波形であるかなどの形状に拘わらず扉の各部の閉止位置と開成位置との間における軌跡が開口縁部と干渉しないので、上述した扉支持装置及び収納家具と同等のメリットを得ることができる。
【００１９】
【発明の実施の形態】
以下、本発明の一実施形態を、図面を参照して説明する。
【００２０】
図１及び図２に示すこの実施形態は、パーティションパネル等により構成される壁面Ｗに取り付けた収納家具の一種である壁掛け式のキャビネットＡである。本実施形態は、このキャビネットＡを、例えば隣接するパーティションパネル間に形成したスリットＳに設けられたフック孔Ｓａに、ブラケットＢを介して取り付けた態様であって、図１は、収納家具本体たるキャビネット本体１の内部に形成された収納空間１ｓを扉部２によって閉塞した状態である閉止位置Ｘを示し、図２は、収納空間１ｓを開口部１１を通じて開放するべく扉部２を扉支持装置３によって上方へ移動させた状態である開成位置Ｙを示している。
【００２１】
以下、このキャビネットＡの各部について、図１〜図４を用いて具体的に詳述する。なお、図３及び図４は、一方の外側板１５２を取り外した状態を示している。
【００２２】
まず、キャビネット本体は、主として天壁１２、背壁１３、底壁１４、及び左右の側壁１５によって包囲される箱形をなすものである。そして、これら各壁により包囲される内部空間を収納空間１ｓとし、この収納空間１ｓを前方へ開放する開口部１１を通じて外部に露出させている。
【００２３】
ここで、本実施形態では天壁１２及び背壁１３を、一枚の金属板を略直角に折り曲げ成形することにより形成しており、天壁１２と背壁１３の形状は、平面視又は背面視略長方形である。そして、天壁１２の上面を前記収納空間１ｓには収納しない物品を載置し得る物品載置面１２ａとして利用できるようにしている。また、底壁１４の上面は、収納空間１ｓ内の物品載置面を構成している。さらに、この底壁１４を折り曲げ成形することによって下方に開口する凹部（図示省略）を形成して、この凹部に薄型の照明器具（図示省略）を配置し得るようにしている。
【００２４】
さらに左右に対をなす側壁１５は、それぞれ内側板１５１及び外側板１５２の二重構造をなすものである。特に外側板１５２は、上縁、下縁、後縁を直線状に形成しているが、前縁を前方へ膨出させた部分円弧状に形成している。そして、これら内側板１５１と外側板１５２によって挟まれ、上方及び下方を前記天壁１２及び底壁１４により閉塞される空間の前端部側を、扉支持装置３を収容する収容部１５３としている。ここで、内側板１５１は収納空間１ｓを包囲する側壁を構成するものであり、他方、外側板１５２は、キャビネット本体１の外側壁を構成するものである。しかして、内側板１５２は、天壁１２、背壁１３、及び底壁１４に固定して設けられている。これに対して外側板１５２は、収容部１５３の内部の扉支持装置３の動作確認や部品交換等のメンテナンスの便を考慮して、内側板１５１に着脱可能に取り付けられており、外側板１５２を取り外した際には、前記収容部１５３を外側方に開放して、扉支持装置３を露出させ得るようにしている。そのための構成として、図３及び図４に示すように、内側板１５１の外向面における上端部に、正面視概略コ字形をなして前後に延びるチャネル状の補強部材１５１ａを溶接等により取り付ける一方、外側板１５２の内向面にも同様の補強部材（図示省略）を設け、これら補強部材の対向面同士を添接させた状態で、収納空間１ｓの内側から外側板１５２側の補強部材に設けたナットにビスを止着することにより、外側板１５２を内側板１５１に取り付けている。また、天壁１２の側縁部と内側板１５１の下端部は、共に収納空間１ｓよりも外側方に延出させており、この延出部分に外側板１５２の上端部及び下端部をそれぞれ係合させている。さらに、背壁１３の側端部は内側に向けて矩形状をなすように切り欠いており、この切欠部分と外側板１５２の後端部とによって形成される後開口溝１５４を通じて、ブラケットＢを後方から前記収容部１５３の後方に形成された空間に収容し得るようにしている。
【００２５】
また、左右の外側板１５２の前端部における膨出部分に対応する内向面側には、その膨出部分と同様に前縁を湾曲させた樹脂製の保護部材１６をそれぞれ配置している。この保護部材１６は、天壁１２、底壁１４、内側板１５１及び外側板１５２の前縁部を保護するべく設けたものである。さらに保護部材１６の幅方向中央部には、上下方向に延びて開口する前開口溝１６１を形成しており、この前開口溝１６１を通じて前記収容部１５３を前方へ開放している。
【００２６】
以上のような構成により、キャビネット本体１における開口部１１の開口縁部１１ａは、天壁１２及び底壁１４の前縁部と、保護部材１５の内側の前縁部とによって構成される。したがって、開口部１１の側端部における開口縁部１１ａの形状は、図５に示すように側面視した場合、キャビネット本体１の後方位置に中心ｏを有し、その中心ｏから開口縁部１１ａを構成する保護部材１６の前縁までの距離を半径とした部分円弧状をなしている。
【００２７】
扉部２は、前方に膨出して湾曲する金属製の前板２１と、前板２１の背面側に取り付けたロ字形をなす補強部２２と、この補強部２２の下端部に取り付けられ前板２１の下方に位置付けた操作部２３とを具備している。
【００２８】
前板２１の上端部は、この扉部２の閉止位置Ｘにおいて天壁１２よりも上方に突出している。また、前板２１の下端部は、同じく閉止位置においてキャビネット本体１の下端よりもやや上方位置に設定している。そして、この前板２１の湾曲形状は、図５に示すように、前記開口縁部１１ａの湾曲形状の中心ｏを中心として、その中心ｏから前板の前面までの距離を半径とする部分円弧状である。また、操作部２３は、前板２１の幅寸法よりも若干小さい幅寸法を有し、前板２１の下端部から後方及び下方へ屈曲した形状をなしている。そして、この操作部２３は、ラッチ機構によって底壁１４の両側端部に前方及び下方へ開口させて形成した受け部１４１に、閉止位置Ｘで選択的に係合するようにしている。さらに、本実施形態では、幅寸法の異なるキャビネットＡにおいて側壁１５及び扉支持装置３を共通に用い得るようにしたものである。そのため、扉部２の重量を幅寸法の長短に拘わらず略一定に保つための重量調節手段として、扉部２の幅寸法に応じて適宜の重量を有する例えば板状の重り部材（図示省略）を、前記補強部２２の内側に、前板２１に添接させて設けられるようにしている。
【００２９】
このような構成の扉部２を支持する扉支持装置３は、扉部２を直接支持する支持部材たる１本の支持アーム３１と、この支持アーム３１を扉部２の開成方向へ付勢する付勢手段として機能する弾性付勢部材たるガススプリング３２とから構成される。これら支持アーム３１及びガススプリング３２は、前記収容部１５３内に収容されているが、これらの部材は、前記内側板１５１の外向面における後端部側に上下方向に延び起立姿勢で取り付けられ内側板１５１の補強を兼ねる取付部材１５１ｂに取り付けている。なお、左右の扉支持装置３は、それらが支持する扉部３により連結されて、同期動作するようにしている。
【００３０】
支持アーム３１は、側面視Ｖ字形をなす１本の金属棒からなるものである。そして、基端側の部位を前記取付部材１５１ｂに回転可能に取り付けた第１の支持要素３１１とし、先端側の部位を扉部２に固定して取り付けた第２の支持要素３１２としている。具体的に、第１の支持要素３１１の基端部は、ピン等により前記取付部材１５１ｂの上端部に枢着し、その枢着点を支持アーム３１の回転支点ｐとしている一方、第２の支持要素３１２の先端部を図示しないビス等を用いて補強部２２に後方から取り付けている。さらに詳述すると、前記回転支点ｐの位置は、図５に示すように、開口縁部１１ａの湾曲形状の中心ｏと前記開口縁部１１ａの上端とを結んだ線を一点鎖線で示すような基準線ｍとした場合、この基準線ｍよりも上方である。このように回転支点ｐの位置を設定した理由は後述する。また、図３及び図５に実線で示すように閉止位置Ｘにおいて、第２の支持要素３１２が略水平姿勢となり、これに対して第１の支持要素３１１が後傾姿勢となるようにしている。一方、同図に想像線で示すように開成位置Ｙにおいて、第１の支持要素３１１が略水平姿勢となり、第２の支持要素３１２が前傾姿勢となるようにしている。また、これら第１の支持要素３１１と第２の支持要素３１２とがＶ字形に開いた角度は、例えば本実施形態においては約１２０°としている。さらに第１の支持要素３１１の長手寸法は、その先端部が開成位置Ｙにおいて天壁１２の前端よりも若干前方に位置し、第２の支持要素３１２を前方の外部へ持ち出し得る程度に設定している。
【００３１】
ガススプリング３２には、シリンダ部３２１及びロッド部３２２を有する市販の一般的なものであり、本実施形態ではロッド部３２２を下にして前傾姿勢で設けている。すなわち、ロッド部３２２の下端部を前記取付部材１５１ｂに回転可能に取り付ける一方、シリンダ部３２１の上端部を第１の支持要素３１１に回転可能に取り付けて、支持アーム３１を開成方向へ付勢するようにしている。本実施形態におけるロッド部３２２の具体的な取付位置は、前記支持アーム３１の回転支点ｐの略真下であり、これに対してシリンダ部３２１の取付位置は、第１の支持要素３１１の長手方向中央部よりもやや上方位置である。
【００３２】
なお、閉止位置Ｘと開成位置Ｙにおいて、第２の支持要素３１２及び第１の支持要素３１１をそれぞれ水平姿勢に維持し、且つキャビネット本体１に対する支持アーム３１の衝突により生じ得る損傷の防止のため、内側板１５１の外向面の上下にそれぞれゴム製等のクッション部材３３、３４を設けている。具体的には、下側のクッション部材３３は、内側板１５１の前端部において外向面から外側方へ突出させたクッション取付部材３４ａの上面に取り付けたものであり、上側のクッション部材３４は、前記クッション部材３３の略真上の位置において前記補強部材１５１ａの下向面に取り付けたものである。また、保護部材１６に形成した前開口溝１６１を通じて第２の支持要素３１２が前方へ突出することになるため、その前開口溝１６１の開口幅寸法は支持アーム３１の厚み寸法よりも若干大きく設定してあり、さらにその長手方向における開口寸法は第２の支持要素３１２の可動範囲に略等しく設定している。
【００３３】
以上のように各部を構成した結果、本実施形態は、以下に述べるような効果を奏する。
【００３４】
まず、支持アーム３１の回転支点ｐを前記基準線ｍよりも上方位置に設定したのは、図５に色の濃い網掛けを付して示す基準線ｍ上若しくはそれよりも上方の領域Ｋ１に回転支点ｐを設定すれば、その回転支点ｐと開口縁部１１ａの各部との距離との関係に基づいている。すなわち、回転支点ｐから開口縁部１１ａの上端までの距離が最短となり、前記距離が長くなって、回転支点ｐから開口縁部１１ａの下端までの距離が最長となることから、回転支点ｐを中心に扉部２を閉止位置Ｘから開成位置Ｙへ回転移動させた場合、扉部２の各部は閉止位置Ｘにおける開口縁部１１ａの対応位置から漸次離反して、同図に薄い網掛けを付した領域Ｋ２を通過するような軌跡を描く。従って、扉部２が移動中に開口縁部１１ａと干渉することは全く生じることがない。これに反して前記領域Ｋ１よりも下方に回転支点ｐを設けると、扉部２の移動による軌跡が必ず開口縁部１１ａと干渉することになる。
【００３５】
また、閉止位置Ｘと開成位置Ｙとの間で、ガススプリング３２による開成方向への付勢力と、自重により扉部２が閉止方向へ向かおうとする力とが均衡する位置、すなわち、思案位置Ｚ（図５参照）が設定される。したがって、扉部２を開ける際には、閉止位置Ｘから思案位置Ｚまでの間は、扉部２の自重がガススプリング３２の付勢力に勝っているため、扉部２に上方へ若干の力を加える必要があるが、その勢いで思案位置Ｚを越えると、ガススプリング３２の付勢力により扉部２は自動的に開成位置Ｙまで移動する。逆に、扉部２を閉じる際には、開成位置Ｙから思案位置Ｚまでの間は、ガススプリング３２の付勢力が扉部２の自重に勝っているため、扉部２に下方へ若干の力を加える必要があるが、その勢いで思案位置Ｚを越えると、扉部２の自重により扉部２は自動的に閉止位置Ｘまで移動する。その結果、扉部２のスムーズな開閉動作が確保され、且つ不意に開閉動作するというような不具合が防止される。
【００３６】
さらに、支持アーム３１及び扉部２の形状を上述のようなものとしたことから、閉止位置Ｘでは扉部２により開口部１１を略完全に閉塞することができる一方、開成位置Ｙでは開口部１１が扉部２に邪魔されることなく略全開することができる。これに加えて、閉止位置Ｘにおける扉部２の前板２１の下端が開口縁部１１ａの下端にまで至っていないことから、開成位置Ｙにおいて、扉部２の開口縁部１１ａよりも前方への突出量ｄ１と、開口縁部１１ａの上端から前板２１の下端までの上方への突出量ｄ２とを、可及的に小さくすることが可能であり、その結果、極めて広く開放した開口部１１を通じて収納空間１ｓへの物品の出し入れをスムーズに行うことができる。しかも、支持アーム３１の第２の支持要素３１２は、樹脂製の保護部材１６に形成した前開口溝１６１内を上下動作するため、その動作時におけるキャビネット本体１の傷付きをも防止することができる。なお、市販のガススプリング３２のサイズによる制約も受けるが、閉止位置Ｘと開成位置Ｙとの間で、可能な限りガススプリング３２の作動角を大きくし、且つロッド部３２２の伸縮量を大きくするように、各部材を配置することで、扉開閉装置３及び扉部２の動作の安定化が図られる。
【００３７】
また、通常の使用状態では扉開閉装置３は二重構造をなす側壁１５内の収容部１５３内に隠蔽されているが、メンテナンス時には外板１５２を取り外すことにより、収納空間１ｓ内部に収納された物品を特に取り出すことなく、機構部品のメンテナンスを行うことができる。
【００３８】
さらにまた、天壁１２の上面をも物品載置面１２ａとして利用することができ、閉止位置Ｘでは天壁１２よりも上方へ突出する扉部２の上端部により、前記物品載置面１２ａに載置した物の前方への脱落を容易に防止することができる。
【００３９】
なお、本発明は上述した実施形態の構成に限られるものでないのは勿論であり、各部の具体的構成についても上記実施形態に限られることなく、本発明の趣旨を逸脱しない範囲で種々変形が可能である。
【００４０】
【発明の効果】
本発明は、以上に詳述したように、回転動作により扉を上下移動させて開口部を開閉する扉支持装置において、扉を移動可能に支持する支持部材の回転支点の位置決めに工夫を凝らし、更に、当該支持部材の先端部を前記扉の下端部に固定して取り付けた上で、当該扉を開成位置にした際に、当該扉の下端部と当該支持部材の先端部との取付位置が前記開口縁部の前方側となるように設定したことにより、極めて少ない部品点数にも拘わらず、スムーズで快適な動作が実現される扉支持装置を構成することが可能である。そして、これを収納家具に適用することで、優れた機能を有しつつ低価格の収納家具を提供することができる。
【図面の簡単な説明】
【図１】本発明の一実施形態たる収納家具の使用状態における閉止位置を示す斜視図。
【図２】同実施形態の使用位置における開成位置を示す斜視図。
【図３】同実施形態において扉支持装置を露出させた状態を示す斜視図。
【図４】同側面図。
【図５】同実施形態における扉支持装置の動作を説明する概略側面図。
【符号の説明】
Ａ…収納家具（キャビネット）
Ｘ…閉止位置
Ｙ…開成位置
Ｚ…思案位置
ｍ…基準線
ｏ…中心
ｐ…回転支点
１…収納家具本体（キャビネット本体）
１ｓ…収納空間
２…扉（扉部）
３…扉支持装置
１１…開口部
１１ａ…開口縁部
３１…支持部材（支持アーム）
３２…弾性付勢部材（ガススプリング）
１５１…内側板
１５２…外側板
１５３…収容部
３１１…第１の支持要素
３１２…第２の支持要素
【図１】
0003779217.tif 000002
【図２】
0003779217.tif 000003
【図３】
0003779217.tif 000004
【図４】
0003779217.tif 000005
【図５】
0003779217.tif 000006